(57)【特許請求の範囲】
【請求項１】
電流量に応じて発光量が変化する複数の表示画素により構成された画素領域を有する表示パネル部と、前記画素領域に表示信号電圧を入力し該画素領域内の画素状態を出力する信号線を有する画像表示装置であって、
前記信号線を介した前記表示信号電圧の入力と前記画素領域内の画素状態の出力を切り替え、前記画素領域内の画素状態の出力と外部状態を検出するセンサ部からの検出状態の出力を切り替えるためのスイッチ回路と、
前記スイッチ回路に接続された画素状態出力用電源と、
前記表示信号電圧に応じた発光量を制御する画素制御回路と、
前記画素制御回路に接続された表示用電源と、
前記画素領域内の画素状態の出力と前記外部状態を検出する前記センサ部からの検出状態の出力を検出する検出回路とを備え、
前記表示パネル部で表示する表示データの表示期間においては前記外部状態を検出する前記センサ部からの検出状態の出力が前記検出回路に入力され、前記表示データの帰線期間においては前記画素領域内の画素状態の出力が前記検出回路に入力され、前記表示期間と前記帰線期間が互いに繰り返されることを特徴とする画像表示装置。
【請求項２】
請求項１において、
前記検出回路に、ゲインおよびタイミングを設定値に制御できる可変増幅器を備え、
前記検出回路による前記画素領域内の画素状態の出力と前記外部状態を検出する前記センサ部からの検出状態に対応する検出対象とその特性から前記可変増幅器の設定値を前記検出回路内に設定可能としたことを特徴とする画像表示装置。
【請求項３】
請求項２において、
前記検出回路は、検出経路設定と前記可変増幅器の設定を連動して制御することを特徴とする画像表示装置。
【請求項４】
請求項２において、
前記可変増幅器の設定値として、検出対象ごとの設定値を前記検出回路内に設定可能であることを特徴とする画像表示装置。
【請求項５】
請求項２において、
前記可変増幅器の設定値として、検出対象ごとの設定値を動的に演算する回路を備える
ことを特徴とする画像表示装置。
【請求項６】
請求項２において、
検出対象を接続するスイッチ回路を切り替える回路を備えることを特徴と
する画像表示装置。
【請求項７】
電流量に応じて発光量が変化する複数の表示画素により構成された画素領域を有する表示部と、前記画素領域に表示信号電圧を入力し該画素領域内の画素状態を出力する信号線を有する画像表示装置であって、
前記信号線を介した前記表示信号電圧の入力と前記画素領域内の画素状態の出力を切り替え、前記画素領域内の画素状態の出力と外部状態を検出するセンサ部からの検出状態の出力と、タッチパネルセンサからの出力を切り替えるためのスイッチ回路と、
前記スイッチ回路に接続された画素状態出力用電源と、
前記表示信号電圧に応じた発光量を制御する画素制御回路と、
前記画素制御回路に接続された表示用電源と、
前記画素領域内の画素状態の出力と前記外部状態を検出する前記センサ部からの検出状態の出力と前記タッチパネルセンサからの出力を切り替えるための前記スイッチ回路の出力を検出する検出回路とを備え、
前記表示部で表示する表示データの表示期間においては前記外部状態を検出する前記センサ部からの検出状態の出力が前記検出回路に入力され、前記表示データの帰線期間においては前記画素領域内の画素状態の出力が前記検出回路に入力され、前記表示期間と前記帰線期間においては前記タッチパネルセンサからの出力が前記検出回路に入力され、前記表示期間と前記帰線期間が互いに繰り返され、
前記検出回路により検出され前記タッチパネルセンサからの出力に関する第一検出対象は、前記表示期間と前記帰線期間において一定間隔で検出され、
前記検出回路により検出され前記外部状態を検出する前記センサ部からの検出状態の出力に関する第二検出対象は、前記表示期間において前記第一検出対象の検出期間以外の期間にて検出され、
前記検出回路により検出され前記画素領域内の画素状態の出力に関する第三検出対象は、前記帰線期間において前記第一検出対象の検出期間以外の期間にて検出されることを特徴とする画像表示装置。
【発明の詳細な説明】
【技術分野】
【０００１】
本発明は、表示素子に印加する電流量、あるいは発光時間に応じて輝度を制御可能な画像表示装置に係り、特に、有機ＥＬ（Ｅｌｅｃｔｒｏ Ｌｕｍｉｎｅｓｃｅｎｃｅ）、あるいは有機発光ダイオード（Ｏｒｇａｎｉｃ Ｌｉｇｈｔ Ｅｍｉｔｔｉｎｇ Ｄｉｏｄｅ）とも称する自発光型に代表される表示素子で構成した画像表示装置に関する。
【背景技術】
【０００２】
様々な情報処理装置の普及により、役割に応じた表示装置が種々存在する。その中で、自発光型の表示装置として有機ＥＬ素子を用いたディスプレイ（有機ＥＬ表示装置）が注目されている。この表示装置に用いるＯＬＥＤなどの発光素子は液晶ディスプレイ（液晶表示装置）のようなバックライトが不要で、低消費電力に向いている。また、液晶ディスプレイに比べて画素の視認性が高く、応答速度が速い、等の利点がある。
【０００３】
更に、この有機ＥＬ素子はダイオードに似た特性を持っており、該素子に流す電流量によって輝度を制御することができる。このような自発光型の表示装置における駆動方法については、特許文献１などに開示がある。また、このような表示装置にタッチパネルなどの入力デバイスを組み込む構成に関しては、特許文献２などを挙げることができる。
【特許文献１】特開２００６−９１７０９号公報
【特許文献２】特開平１０−４９３０５号公報
【発明の開示】
【発明が解決しようとする課題】
【０００４】
有機ＥＬ素子（ＯＬＥＤ）の特性として、使用期間や周囲環境により素子の内部抵抗値が変化する。特に、使用期間が増大すると経時的に内部抵抗が高くなり、素子に流れる電流が減少する性質がある。そのため、例えばメニュー表示など画面内の同一箇所の画素を長時間点灯させていると、その部分に焼付き現象が生じる。この焼付き現象を対策するためには画素の状態を検出する必要がある。この検出方法としては、表示データの帰線期間にこれを検出する方法をとる。帰線期間では画素を発光させないので表示用の電圧がかけられない。そのため、発光に使用する電源とは別電源を用い、帰線期間に画素に対してある一定の電流を印加しその状態での電圧を検出することで、電圧の変化から焼付きにおける劣化を検出する方法をとる。また、表示期間では画素に電流を印加することができないので、上記の検出に使用する回路は帰線期間しか使用しないことになる。
【０００５】
一方、温度特性や周囲の明るさ検出、あるいはタッチパネルなどの入力センサを使用する場合、それぞれの検出を行うために同じような検出回路がそれぞれ必要になる。これらを表示装置のシステムとして持たせるには、焼き付き検出や温度特性検出、周囲の明るさ検出に対応のための更なるコントローラ等の制御手段が必要になり、回路規模が大きくなる。
【０００６】
本発明の目的は、ＯＬＥＤの焼付き劣化の検出、温度特性の検出、センサパネルの検出等、検出系の回路を一系統の回路で対応し共有化させて回路規模を低減することである。
【課題を解決するための手段】
【０００７】
本発明の一つの実施態様によれば、表示用と検出用の独立した電源と、表示素子と、電源と各素子を独立して接続するためのスイッチと、そのスイッチを制御する回路と、各素子の状態を読み出す機能を持つ。そして、その読み出した結果を制御できる形に生成する内部検出機能を持ち、また、外部のセンサからの検出結果と内部検出をタイミング制御により切り替えて検出対象に応じた値に変換できるような可変増幅器（適応アンプとも称する）を検出手段に備えて一系統の検出回路で検出する機能を持つというものである。
【０００８】
上記構成において、表示期間と帰線期間で検出回路に接続する検出デバイスを順次切り替え、検出対象により適応アンプのゲイン及びタイミングを制御することで、複数の検出デバイスを同一の検出回路で検出可能な画像表示装置が得られる。
【発明の効果】
【０００９】
検出系の回路、コントローラを複数の検出系に対して共有することで回路規模を縮小することができる。例えば、以下で説明する本発明の第１の実施形態によれば、内部の画素状態と外部検出デバイスと同一検出回路で検出できる。また本発明の第２の実施形態によれば、複数の外部検出デバイスと内部の画素状態を同一検出回路で検出できる。そして、本発明の第３の実施形態によれば、定期的に検出する必要のある外部検出デバイスに対して内部の画素状態を同一検出回路で検出できる。
【発明を実施するための最良の形態】
【００１０】
以下、本発明の最良の実施形態について、図面を用いて詳細に説明する。
（第１の実施形態）
【００１１】
図１は、本発明の画像表示装置の全体構成を説明するシステム構成図である。この構成は、大きく分けて表示ドライバ１、表示パネル部２、およびセンサ部３とからなる。表示パネル部２には行方向（走査線方向）と列方向（データ線方向）にマトリクス配列された複数の画素回路が含まれる。センサ部３は、焼き付きセンサ、温度センサ、周囲光センサ等の動作環境センサと、情報入力手段であるタッチパネルなどの外部入力機器などが含まれる。
【００１２】
表示ドライバ１には、制御バス４を介して、ＲＡＭ５、ＣＰＵ６が接続する。ここでは、主要なデバイスとして、ＲＡＭ５とＣＰＵ６のみを挙げているが、その他のデバイスである、ＲＯＭ、各種Ｉ／Ｏコントローラなどが接続されていてもよい。表示ドライバ１には、コントローラ１０があり、表示ドライバ１内の各部を制御する。また、コントローラ１０は、各種センサからの検出データをＲＡＭ５に書き込んだり、表示パネル部２に表示する表示データをＲＡＭ５から読み込んだりする制御を行う。
【００１３】
コントローラ１０には、データ線１１、検出線１４が接続されている。図１にはデータ線１１、検出線１４を各一つのみを示しているが、実際には表示パネル部２を構成する表示パネルの画素の列数（データ線数）だけ設けられる。データ線１１上には、Ｄ／Ａ変換器１２、アンプ１３がある。また、検出線１４上には、Ａ／Ｄ変換器１５、適応アンプ１６、電源１８がある。データ線１１は、コントローラ１０からの出力線でもある。この出力線には、表示データやプリチャージデータが出力されＤ／Ａ変換器１２に入力し、その出力値をアンプ１３で増幅する。データ線１４は、コントローラ１０への入力線でもある。
【００１４】
この入力線は、数種類の検出結果をコントローラ１０に入力するためのものである。検出結果は、適応アンプ１６を通してＡ／Ｄ変換器１５でデジタル値に変換され、コントロール１０に入力される。適応アンプ１６は電圧レベルの異なる検出値をある一定の範囲に押さえ込む役割をする。この適応アンプ１６と検出用の電源１８を、制御線１７を通してコントローラ１０が制御する。ドライバ１と表示パネル部２はパネル制御線１９で接続され、表示ドライバ１とセンサ部３はセンサ制御線２０で接続される。
【００１５】
パネル制御線１９はパネル部／データ線接続スイッチ２１を介してデータ線１１と接続し、パネル部／検出線接続スイッチ２２を介して検出線１４と接続する。センサ制御線２０はスイッチ２３を介して検出線１４と接続する。これら、パネル部／データ線接続スイッチ２１、パネル部／検出線接続スイッチ２２、センサ部／検出線接続スイッチ２３はコントローラ１０からのスイッチ制御線２４で制御される。このスイッチ制御線２４は、上記各スイッチ２１、２２、２３を独立に制御しても、あるいは纏めて制御してもよく、独立に制御する場合にはスイッチ制御線２４は複数の線を使用する構成となる。センサ部３には、温度センサ、照度センサ、色度センサ、音センサ、タッチパネル、その他入力デバイス等、様々な検出デバイスが接続可能である。
【００１６】
図２は、図１における表示パネル部２の内部に存在する画素の構成を説明する図である。本発明は画像表示装置に関するものであるが、ここでは画像表示装置の一例として有機ＥＬ表示装置（ＯＬＥＤ）を例にして説明する。図２において、電圧減２７は表示用電源であり、画素制御部２６で表示素子２５と接続する。パネル制御線１９はデータを送受する入出力線になる。表示パネル部２への入力、つまり、表示データは、画素制御部２５で処理され表示用電源２７で表示素子２５を駆動する。表示パネル部２からの出力、つまり、検出データは、表示素子２５から選択スイッチ２８を通り、パネル制御線１９を通してドライバ１に入力される。この時の表示素子２５の駆動電源は電源１８である。この検出データは画素状態を示すことになるので焼き付き検出に使用することができる。
【００１７】
図３は、図１におけるドライバ１内の切替スイッチの構成例を説明する回路図である。図３の（ａ）は、前記各スイッチ（２１−２３）を独立線で制御する構成としたものであり、制御線３０はパネル制御線１９とデータ線１１の接続をパネル部／データ線接続スイッチ２１で制御する。また、制御線３１はパネル制御線１９と検出線１４の接続をパネル部／検出線接続スイッチ２２で制御する。そして、制御線３２はセンサ制御線２０と検出線１４の接続をセンサ部／検出線接続スイッチ２３で制御する。これらの制御線３０、制御線３１、制御線３２は独立して制御動作ができるため、パネル部／データ線接続スイッチ２１、パネル部／検出線接続スイッチ２２、センサ部／検出線接続スイッチ２３の開閉も任意のタイミングで制御できる。
【００１８】
一方、図３の（ｂ）は各スイッチを一意に制御する構成としたものである。制御線３３は、パネル制御線１９とデータ線１１の接続をパネル部／データ線接続スイッチ２１で制御し、センサ制御線２０と検出線１４の接続をセンサ部／検出線接続スイッチ２３で制御する。また、インバータ３５は制御線３３の信号を反転するためのもので、インバータ３５の出力である制御線３４は、パネル制御線１９と検出線１４をパネル部／検出線接続スイッチ２２で制御する。制御線３３と制御線３４は反転した信号であるため、パネル部／データ線接続スイッチ２１とセンサ部／検出線接続スイッチ２３がオン状態の時はスイッチ２２がオフ状態になり、パネル部／データ線接続スイッチ２１とセンサ部／検出線接続スイッチ２３がオフ状態の時はパネル部／検出線接続スイッチ２２がオン状態になる。これらの動作は同時に行われる。図３の（ａ）では制御線の本数が増えるが任意のスイッチ制御が可能である。図３の（ｂ）では制御線の本数が少なくてすむが動作は固定になる。
【００１９】
図４は、図１における適応アンプ１６の構成を説明する図である。図４の（ａ）は適応アンプ１６の内部構成を示す。この適応アンプ１６には、コントローラ１０からの制御信号１７で制御できる可変抵抗４０と固定抵抗４１と増幅器４２がある。
【００２０】
図４の（ｂ）は適応アンプ１６の設定モード４５と可変抵抗４０の抵抗値４６を示したテーブル４４の内容を示す。設定モード４５は検出対象と対になったもので、検出部の検出範囲によりコントロール１０は設定モード４５を選択し、設定モードに対応した抵抗値４６を使用して適応アンプの設定をする。テーブル４４は、固定値として使用する場合は、ドライバ１内にメモリとしておいてもよい。また、ドライバ１外にメモリとしておいてもよく、任意の値とする場合は、設定モードに合わせて動的に計算させてもよい。
【００２１】
図５は、図１におけるコントローラ１０の内部構成を説明するシステム構成図である。図５において、メモリアクセス部５０は、ドライバ外部とはバス４で接続された外部メモリであるＲＡＭ５とデータの送受を行う。そして、ドライバ内部では、表示時に用いる補正制御部５１、表示制御部５２と、検出時に用いるプリチャージ制御部５３と、スイッチ制御部５６、アンプ制御部５７と接続する。補正制御部５１は検出から得られたデータをもとに表示データに補正処理するための演算部である。補正処理については、検出系の種類について別々の処理をし、例えば焼き付き検出の場合はその度合いに応じた劣化補正を行い、温度特性検出の場合は温度変動分の補正を行う。
【００２２】
表示制御部５２は補正制御部５１で補正された表示データを表示パネルのタイミングに合わせて送信制御する。プリチャージ制御部５３は、検出時のデータ線の電圧を固定するもので、応答速度を改善するために用いられる。切替制御部５４は、コントローラ１０内の信号タイミングや、外部信号のタイミングを調整する。信号選択部５５は、切替制御部５４からの制御で表示制御部５２とプリチャージ制御部５３の出力を切り替えてデータ線１１に送信する。スイッチ制御部５６は、制御線２４の制御を行う。
【００２３】
この制御線２４はデータ線１１、検出線１４につながる線の選択スイッチ類を制御するもので、スイッチの制御構成によって単線あるいは複数線からなる。アンプ制御部５７は、切替制御部５４から適応アンプの状態を制御するもので、適応アンプの設定に設定テーブルを用いる場合、アンプ制御部５７はメモリ５８上に用意したテーブルからの設定情報で適応アンプを設定変更する。
【００２４】
図６は、本発明の第１の実施形態における表示と検出のタイミングを説明する図である。本実施形態は表示と温度検出と焼き付き検出を行うタイミングである。参照符号６０は１フレーム期間を示しており、表示系では表示期間と帰線期間（非表示期間）から構成する。表示期間は、さらに、画素回路への表示データや表示電圧の書き込み期間と、書き込まれた表示データや表示電圧に応じて表示（発光）する表示（発光）期間を含んでもよい。検出系では温度検出期間と焼き付き検出期間から構成する。１水平期間内に、表示系では表示期間と帰線期間（非表示期間）を含み、検出系では温度検出期間と焼き付き検出期間を含んでもよい。このタイミングを図３の（ａ）に示した構成を基に説明する。パネル制御線１９には表示パネルが接続し、センサ制御線２０には温度検出センサが接続されているものとする。表示系の制御では表示期間６１においてデータ線１１とパネル制御線１９を接続するために制御線３０によってスイッチ２１をオンに、制御線３１によってパネル部／検出線接続スイッチ２２をオフにする。
【００２５】
また、この期間は検出系では温度検出期間６３になり、検出系の制御では温度検出を行うために検出線１４と制御線２０を接続するために制御線３２によってセンサ部／検出線接続スイッチ２３をオンにする。これにより、これらの期間では表示を行いながら温度検出することになる。次に表示系の制御では帰線期間６２において検出線１４と制御線１９を接続するために制御線３１によってパネル部／検出線接続スイッチ２２をオンに、制御線３０によってパネル部／データ線接続スイッチ２１をオフにする。この期間は検出系では焼き付き検出期間６４になり、検出系の制御では検出線１４と制御線２０を切り離すために制御線３２によってセンサ部／検出線接続スイッチ２３をオフにする。
【００２６】
これにより、これらの期間では画素状態（例えば、電圧や電流）を検出することになる。また、適応アンプの設定は、温度検出状態の設定を設定Ａ６５、焼き付き検出状態の設定を設定Ｂ６６とした場合、温度検出期間６３は設定Ａ６５の状態とし、焼き付き検出期間６４は設定Ｂ６６の状態とすることでアンプの状態を設定する。これらの動作を１フレーム毎に行い、表示と検出を両立させる。
【００２７】
図７は、図１におけるコントローラ１０の制御フローチャートである。制御開始の処理７０において、コントローラ１０が制御を開始すると、処理７１に遷移する。処理７１において初期化処理を行い、処理７２に遷移する。処理７２において表示動作を開始し、処理７３に遷移する。処理７３において検出動作を開始する。処理７１における初期化処理では各状態の初期設定制御や状態検査を実施し、システム内を初期化する。処理７２、処理７３における動作は後述するが、これらの処理によってコントローラ１０内を初期化する。
【００２８】
次に、処理７４においてコントローラ１０内の信号選択部５５の切り替えを行う。処理７５において制御線１７により適応アンプを設定する。処理７６において制御線２４により切替スイッチを設定する。処理７７において、検出フラグを解除し、処理７８において、表示フラグを設定する。この検出フラグと表示フラグは、コントローラ１０内部に持つもので、表示系の状態を記憶するものである。処理７９において表示期間の判定を行う。この表示期間の判定にはタイマーやカウンタによって行う。
【００２９】
表示期間が終了した場合、帰線期間に移行する。処理８０においてコントローラ１０内の信号選択部５５の切り替えを行う。処理８１において制御線１７により適応アンプを設定する。処理８２において制御線２４により切替スイッチを設定する。処理８３において、表示フラグを解除し、処理８４において、検出フラグを設定する。処理８５において帰線期間の判定を行う。この帰線期間の判定にはタイマーやカウンタによって行う。帰線期間が終了した場合、表示期間に移行し、処理７４に遷移する。本例では表示フラグと検出フラグを同時に切り替えているが、時間差をおくことも可能である。
【００３０】
図８は、図１における表示系の制御フローチャートである。処理９０において表示系の処理を開始すると、処理９１において、表示フラグ状態を監視する。表示フラグが"０"の場合、処理９１で監視を継続する。表示フラグが"１"に変化すると処理９２に遷移しメモリコントローラ部が表示データを読み込む。更に処理９３においてメモリコントローラ部が補正データを読み込み、処理９４において表示データと補正データから変換データを作成する。処理９５において変換データを表示部に送信する。処理９６において１フレームの表示期間が終了か判定する。１フレームの表示が終了していない場合、処理９２からの処理を繰り返し、表示パネルに表示データを送信する。１フレームの表示が終了すると、処理９７に遷移し、表示フラグを解除する。そして処理９１に遷移し、表示フラグ状態の監視を継続する。
【００３１】
図９は、図１における検出系の制御フローチャートである。処理１００において検出系の処理を開始すると、処理１０１において、表示フラグ状態を監視する。表示フラグが"１"に変化する、つまり表示期間中になると、処理１０２においてセンサ部の検出を行う。処理１０３において表示フラグが"１"の状態であれば処理１０４において一回の検出が全て終了か判断し、検出途中であれば処理１０２からの動作を繰り返す。処理１０３において表示フラグが"０"の場合、検出の途中で表示期間が終了したことを示すので、処理１１１に遷移する。
【００３２】
処理１０４において一回の検出が全て終了した場合、処理１０５に遷移する。処理１０５において、表示フラグが"１"の場合、表示フラグが"０"になるまで待機し、表示フラグが"０"に変化すると処理１０１に遷移する。処理１０１で表示フラグが"０"の場合、処理１０６に遷移する。処理１０６において検出フラグが"０"の場合、処理１０１に遷移し、表示フラグの状態を監視する。処理１０６において検出フラグが"１"の場合、処理１０７に遷移する。処理１０７において表示パネル部からの検出を行う。
【００３３】
処理１０８において検出フラグが"１"の状態であれば処理１０９において一回の検出が全て終了か判断し、検出途中であれば処理１０７からの動作を繰り返す。処理１０８において検出フラグが"０"の場合、検出の途中で帰線期間が終了したことを示すので、処理１１１に遷移する。処理１０９において一回の検出が全て終了した場合、処理１１０に遷移する。処理１１０において、検出フラグ"１"の場合、検出フラグが"０"になるまで待機し、検出フラグが"０"に変化すると処理１０１に遷移する。処理１１１はエラー処理を行う。このエラー処理の例として、表示期間、あるいは、検出期間でタイムアウトになった場合をみると、コントローラ１０からＣＰＵ６に対して処理を中断した状態を送信し、ＣＰＵ６ではこの信号を受けた場合、オペレーティングシステムの例外処理を実行する手順を踏む。
（第２の実施形態）
【００３４】
図１０は、本発明の第２の実施形態を説明するための第１の実施形態を説明する図３に関連する部分を別構成とした回路図である。この構成では、複数のセンサ部からの入力を検出系に使用する構成であり、各スイッチを独立線で制御する構成である。制御線１２０は、パネル制御線１９とデータ線１１の接続をパネル部／データ線接続スイッチ２１で制御する。
【００３５】
制御線１２１は、パネル制御線１９と検出線１４の接続をパネル部／検出線接続スイッチ２２で制御する。制御線１２２は、温度検出センサ制御線１２４、タッチパネルセンサ制御線１２５、他の制御線１２６の中の任意の一制御線と検出線１４の接続をスイッチ１２３で制御する。制御線１２０、制御線１２１、制御線１２２は独立した制御ができるため、パネル部／データ線接続スイッチ２１、パネル部／検出線接続スイッチ２２、センサ線／検出線接続スイッチ１２３の開閉も任意のタイミングで制御できる。更にセンサ線／検出線接続スイッチ１２３は一種のセレクタ構成であるので制御線１２２が単線の場合、順次切替が可能であり、制御線１２２が複線の場合、任意の切替が可能になる。センサ線／検出線接続スイッチ１２３で切り替えるセンサの種類は何種類でも構わない。
【００３６】
図１１は、本発明の第２の実施形態における表示と検出のタイミングを説明する図である。図１１は、図１０におけるスイッチ１２３に接続するセンサとして、温度と照度を交互に検出する場合のタイミングを示す。参照符号６０は１フレーム期間を示しており、表示系では表示期間と帰線期間から構成する。検出系では温度検出期間と照度検出期間と焼き付き検出期間から構成する。制御線１９には表示パネルが、温度検出センサ制御線１２４には温度検出センサが、タッチパネルセンサ制御線１２５には照度検出センサが接続されているものとする。
【００３７】
表示系の制御では、表示期間６１においてデータ線１１とパネル制御線１９を接続するために制御線１２０によってスイッチ２１をオンに、パネル部／データ線接続制御線１２１によってパネル部／検出線接続スイッチ２２をオフにする。また、この期間は検出系では１フレーム毎に温度検出期間１３０と照度検出期間１３２を交互に検出することになり、検出系の制御では、温度検出を行うときには検出線１４と温度検出センサ制御線１２４を、照度検出を行うときには検出線１４とタッチパネルセンサ制御線１２５を接続するために制御線１２２によってスイッチ１２３を選択する。これにより、これらの期間では表示を行いながらセンサ部の検出をすることになる。
【００３８】
次に、表示系の制御では帰線期間６２において検出線１４とパネル制御線１９を接続するために制御線１２１によってパネル部／検出線接続スイッチ２２をオンに、制御線１２０によってパネル部／データ線接続スイッチ２１をオフにする。この期間は検出系では焼き付き検出期間１３１になり、検出系の制御では検出線１４と制御線１２４またはタッチパネルセンサ制御線１２５を切り離すために制御線１２２によってスイッチ１２３を全てオフにする。これにより、これらの期間では画素状態を検出することになる。
【００３９】
また、適応アンプの設定は、温度検出状態の設定を設定Ａ１３３、焼き付き検出状態の設定を設定Ｂ１３４、照度検出状態の設定を設定Ｃ１３５とした場合、温度検出期間１３０は設定Ａ１３３の状態とし、焼き付き検出期間１３１は設定Ｂ１３４とし、照度検出期間１３２は設定Ｃ１３５の状態とすることでアンプの状態を設定する。この異なるセンサからの検出動作を２フレーム単位で行い、表示と検出を両立させる。
（第３の実施形態）
【００４０】
図１２は、本発明の第３の実施形態における表示と検出のタイミングを説明する図である。図１２は、第２の実施形態を説明する図１１に関連する部分を別構成としたものである。この構成では複数のセンサ部からの入力を検出系に使用する構成である。特に、ある周期で必ず検出を行う必要があるセンサに対応した場合のタイミング図である。この例では、図１０におけるスイッチ１２３に接続するセンサとして温度検出とタッチパネルのタッチ座標を交互に検出する場合のタイミングを示す。
【００４１】
タッチパネルのような入力デバイスは一定間隔でアクセスする必要があり、アクセスの間隔が変わると検出後の処理で不都合が生じることがある。つまり、特定の入力デバイスに対しては優先度を設定することが可能である。参照符号６０は１フレーム期間を示しており、表示系では表示期間と帰線期間から構成する。検出系では温度検出期間とタッチパネル検出期間と焼き付き検出期間から構成する。
【００４２】
パネル制御線１９には表示パネルが、温度検出センサ制御線１２４には温度検出センサが、タッチパネルセンサ制御線１２５にはタッチパネルセンサが、それぞれ接続されているものとする。表示系の制御では表示期間６１においてデータ線１１とパネル制御線１９を接続するために制御線１２０によってパネル部／データ線接続スイッチ２１をオンに、制御線１２１によってパネル部／検出線接続スイッチ２２をオフにする。また、この期間は、検出系では１フレーム内で温度検出期間１４０とタッチパネル検出期間１４１を交互に検出することになり、検出系の制御では、温度検出を行うときには検出線１４と温度検
出センサ制御線１２４を、タッチパネル検出を行うときには検出線１４とタッチパネルセンサ制御線１２５を接続するために制御線１２２によってスイッチ１２３を選択する。これにより、これらの期間では表示を行いながらセンサ部の検出をすることになる。
【００４３】
次に、表示系の制御では帰線期間６２において制御線１２０によってパネル部／データ線接続スイッチ２１をオフにする。本実施形態では、帰線期間でも制御線１２５を制御線１４に接続する必要があるため、検出線１４に対してパネル制御線１９とタッチパネルセンサ制御線１２５を交互に接続するために制御線１２１及び制御線１２２によってパネル部／検出線接続スイッチ２２及びスイッチ１２３のどちらか一方をオンにもう一方をオフにする。これにより、検出線１４と制御線１９が接続した状態では焼き付き検出期間１４２になり、検出線１４とタッチパネルセンサ制御線１２５が接続した状態ではタッチパネル検出期間１４１になる。
【００４４】
また、適応アンプの設定は、温度検出状態の設定を設定Ａ１４３、タッチパネル検出状態の設定を設定Ｂ１４４、焼き付き検出状態の設定を設定Ｃ１４５とした場合、温度検出期間１４０は設定Ａ１４３の状態とし、タッチパネル検出期間１４１は設定Ｂ１４４とし、焼き付き検出期間１４２は設定Ｃ１４５の状態とすることでアンプの状態を設定する。この一連の検出動作を１フレーム単位で行い、表示と検出を両立させる。
【産業上の利用可能性】
【００４５】
表示装置単体や組み込みパネル、情報処理端末の表示装置として利用可能である。
【図面の簡単な説明】
【００４６】
【図１】本発明の画像表示装置の全体構成を説明するシステム構成図である。
【図２】図１における表示パネル部２の内部に存在する画素の構成を説明する図である。
【図３】図１におけるドライバ１内の切替スイッチの構成例を説明する回路図である。
【図４】図１における適応アンプ１６の構成を説明する図である。
【図５】図１におけるコントローラ１０の内部構成を説明するシステム構成図である。
【図６】本発明の第１の実施形態における表示と検出のタイミングを説明する図である。
【図７】図１におけるコントローラ１０の制御フローチャートである。
【図８】図１における表示系の制御フローチャートである。
【図９】図１における検出系の制御フローチャートである。
【図１０】本発明の第２の実施形態を説明するための第１の実施形態を説明する図３に関連する部分を別構成とした回路図である。
【図１１】本発明の第２の実施形態における表示と検出のタイミングを説明する図である。
【図１２】本発明の第３の実施形態における表示と検出のタイミングを説明する図である。
【符号の説明】
【００４７】
１・・・ドライバ、２・・・表示パネル部、３・・・センサ部、４・・・データバス、５・・・ＲＡＭ、６・・・ＣＰＵ、１０・・・コントローラ、１１・・・データ線、１２・・・Ｄ／Ａ変換器、１３・・・増幅器、１４・・・検出線、１５・・・Ａ／Ｄ変換器、１６・・・可変増幅器（適応アンプ）、１８・・・検出用電源、２１・・・表示パネル部とデータ線の接続スイッチ、２２・・・表示パネル部と検出線の接続スイッチ、２３・・・センサ部と検出線の接続スイッチ。
【図１】
0005734324.tif 000002
【図２】
0005734324.tif 000003
【図３】
0005734324.tif 000004
【図４】
0005734324.tif 000005
【図５】
0005734324.tif 000006
【図６】
0005734324.tif 000007
【図７】
0005734324.tif 000008
【図８】
0005734324.tif 000009
【図９】
0005734324.tif 000010
【図１０】
0005734324.tif 000011
【図１１】
0005734324.tif 000012
【図１２】
0005734324.tif 000013